(57)【要約】  本発明は、容器本体を把持する工程、キャップを回転させる工程、再びキャップを回転させて容器本体の開口部を閉鎖する工程において、使用者が効果的かつ快適に使用できるチューブ型化粧品容器を提供するものである。本発明のチューブ型化粧品容器の外形は略紡錘形状に形成されており、容器本体１０の閉塞端部１４において、チューブ型化粧品容器の長手方向と垂直な方向における最大の長さｄ１を有し、容器本体とキャップとの境界部におけるチューブ型化粧品容器の長手方向と垂直方向における長さを長さｄ２とするとき、長さｄ２の長さｄ１に対する比率α１（ｄ２／ｄ１）は０．６０以上０．６５以下であり、キャップにおいて、境界部と球状閉塞端部の中間位置における前記チューブ型化粧品容器の長さ方向と垂直方向における長さを長さｄ３とするとき、長さｄ３の長さｄ２に対する比率α２（ｄ３／ｄ２）は０．５５以上０．６５以下であり、α１＞α２であり、容器本体の閉塞端部１４の外側の形状は、チューブ型化粧品容器の長さ方向の中心軸上に中心点を有する略円弧状に形成されており、かつ、閉塞端部１４の最大幅ｗ１の前記長さＬ１に対する比率β１（ｗ１／Ｌ１）が０．０２以上０．０４以下となるように形成されている。
2017158638.tif 000002
【特許請求の範囲】
【請求項１】
チューブ型の容器本体と、
前記容器本体の開口部を閉鎖するキャップと、
を有するチューブ型化粧品容器であって、
前記チューブ型化粧品容器の外形は略紡錘形状に形成されており、
前記容器本体の一方の端部は帯状の閉塞端部となっており、
前記閉塞端部において、前記チューブ型化粧品容器の長手方向と垂直な方向における最大の長さｄ１を有し、
前記閉鎖端部と反対側の端部には開口部を有するチューブネックが配置されており、
前記キャップの一方の端部は、略半球状に形成された球状閉塞端部となっており、
前記球状閉塞端部とは反対側の前記キャップの端部は、前記チューブネックと螺合する開口端部となっており、
前記容器本体と前記キャップとの境界部における前記チューブ型化粧品容器の長手方向と垂直方向における長さを長さｄ２とするとき、前記長さｄ２の前記長さｄ１に対する比率α１（ｄ２／ｄ１）は０．６０以上０．６５以下であり、
前記キャップにおいて、前記境界部と前記球状閉塞端部との中間位置における前記チューブ型化粧品容器の長さ方向と垂直方向における長さを長さｄ３とするとき、前記長さｄ３の前記長さｄ２に対する比率α２（ｄ３／ｄ２）は０．５５以上０．６５以下であり、
α１＞α２であり、
前記容器本体の前記閉塞端部の外側の形状は、前記チューブ型化粧品容器の長さ方向の中心軸上に中心点を有する略円弧状に形成されており、かつ、前記閉塞端部の最大幅ｗ１の前記長さＬ１に対する比率β１（ｗ１／Ｌ１）が０．０２以上０．０４以下となるように形成されている、
チューブ型化粧品容器。
【請求項２】
前記略円弧状の前記閉塞端部における最大曲率半径は、２０ｍｍ以上３０ｍｍ以下である請求項１に記載のチューブ型化粧品容器。
【請求項３】
前記キャップの開口端部には、閉鎖天井部と開口部とを有するドーム状部材が配置されており、
前記ドーム状部材は、前記容器本体と前記キャップの係合時において、前記チューブネックの開口に嵌まり込む突起部を有し、
前記ドーム状部材の前記閉鎖天井部側の略上半部は、内側部と外側部の二重構造に形成されており、
前記外側部と前記内側部との間には、複数の仕切り部が形成されており、
前記突起部は、前記内側部の中心部の前記閉鎖天井部に、前記開口部方向に突出するように形成され、
前記突起部が配置された面とは反対側の前記閉鎖天井部の面において、前記突起部と対応する位置は凹部となっている、
請求項２に記載のチューブ状化粧品容器。
【発明の詳細な説明】
【技術分野】
【０００１】
本発明はチューブ型化粧品容器に関する。
【背景技術】
【０００２】
チューブ型化粧品容器は、美容液等の化粧品を格納する容器本体であるチューブ部と、チューブ部の開口部を閉じるキャップ部が主な構成である。このような化粧品容器にとって、使用者が効果的かつ快適に操作して、美容液等の化粧品を取り出すことができることが重要である。【０００３】
例えば特許文献１において、キャップを回転させると、ノズルが上昇して、キャップを外すことなく内容物を取り出すことができるチューブ型化粧品容器が提案されている。
【先行技術文献】
【特許文献】
【０００４】
【特許文献１】特表２０１１−５１８５９８
【発明の概要】
【発明が解決しようとする課題】
【０００５】
ところで、使用者がチューブ型化粧品容器を使用するときには、容器本体を把持し（ステップ１）、キャップを回転させ（ステップ２）、キャップを容器本体から外して容器本体を開口させ（ステップ３）、内容物を取り出し（ステップ４）、再びキャップを回転させて容器本体の開口部を閉鎖する（ステップ５）動作が必要である。しかし、上述の技術においては、ステップ３とステップ４についての改善は提案されているが、ステップ１、２及び５に関連する問題についての改善は不十分である。すなわち、ステップ１、２、３及び５で容器本体を保持するために適切な力と、ステップ４における適切な力とは異なるのであるが、従来の容器においては、例えば、使用者が、ステップ４における適切な力よりも大きな力でステップ１、２及び３を実施し、そのままの力でステップ４へ進むと、内容物が過剰に吐出する場合がある。【０００６】
本発明は、上記を踏まえて、容器本体を把持する工程、キャップを回転させる工程、再びキャップを回転させて容器本体の開口部を閉鎖する工程において、使用者が効果的かつ快適に使用できるチューブ型の化粧品容器を提供するものである。
【課題を解決するための手段】
【０００７】
第一の発明は、  チューブ型の容器本体と、前記容器本体の開口部を閉鎖するキャップと、を有するチューブ型化粧品容器であって、前記チューブ型化粧品容器の外形は略紡錘形状に形成されており、前記容器本体の一方の端部は帯状の閉塞端部となっており、
前記閉塞端部において、前記チューブ型化粧品容器の長手方向と垂直な方向における最大の長さｄ１を有し、前記閉鎖端部と反対側の端部には開口部を有するチューブネックが配置されており、前記キャップの一方の端部は、略半球状に形成された球状閉塞端部となっており、前記球状閉塞端部とは反対側の前記キャップの端部は、前記チューブネックと螺合する開口端部となっており、前記容器本体と前記キャップとの境界部における前記チューブ型化粧品容器の長手方向と垂直方向における長さを長さｄ２とするとき、前記長さｄ２の前記長さｄ１に対する比率α１（ｄ２／ｄ１）は０．６０以上０．６５以下であり、前記キャップにおいて、前記境界部と前記球状閉塞端部との中間位置における前記チューブ型化粧品容器の長さ方向と垂直方向における長さを長さｄ３とするとき、前記長さｄ３の前記長さｄ２に対する比率α２（ｄ３／ｄ２）は０．５５以上０．６５以下であり、α１＞α２であり、前記容器本体の前記閉塞端部の外側の形状は、前記チューブ型化粧品容器の長さ方向の中心軸上に中心点を有する略円弧状に形成されており、かつ、前記閉塞端部の最大幅ｗ１の前記長さＬ１に対する比率β１（ｗ１／Ｌ１）が０．０２以上０．０４以下となるように形成されている、チューブ型化粧品容器である。【０００８】
本発明の発明者は、全体として紡錘形状で、片手で容器本体を保持し、もう一方の片手でキャップを回転して操作するチューブ型の化粧品容器について、容器の操作時における人間の掌及び指の動きと容器の構造の関係を研究し、試行錯誤の結果、第一の発明の構成によれば、容器本体を把持する工程、キャップを回転させる工程、再びキャップを回転させて容器本体の開口部を閉鎖する工程において、使用者が効果的かつ快適に使用できることを見出した。  【０００９】
第二の発明は、第一の発明の構成において、前記略円弧状の前記閉塞端部における最大曲率半径は、２０ｍｍ以上３０ｍｍ以下である請求項１に記載のチューブ型化粧品容器である。【００１０】
本発明の発明者は、人間の手の指が自然の状態において、曲線状になっていることに着目し、施行錯誤を重ね、閉塞端部が上記数値範囲内にあるときに、使用者が効果的に操作することができることを見出した。【００１１】
第三の発明は、第一の発明又は第二の発明のいずれかの構成において、前記キャップの開口端部には、閉鎖天井部と開口部とを有するドーム状部材が配置されており、前記ドーム状部材は、前記容器本体と前記キャップの係合時において、前記チューブネックの開口に嵌まり込む突起部を有し、前記ドーム状部材の前記閉鎖天井部側の略上半部は、内側部と外側部の二重構造に形成されており、前記外側部と前記内側部との間には、複数の仕切り部が形成されており、前記突起部は、前記内側部の中心部の前記閉鎖天井部に、前記開口部方向に突出するように形成され、前記突起部が配置された面とは反対側の前記閉鎖天井部の面において、前記突起部と対応する位置は凹部となっているチューブ状化粧品容器である。【００１２】
本発明の発明者は、チューブ型化粧品容器が、様々な力や熱を受けることに着目し、キャップ部の突起部がチューブネック部の開口に嵌まり込む位置を保持するための構造を研究し、第三の発明によれば、環境要因にもかかわらず、突起部がその位置を保持することを見出した。
【発明の効果】
【００１３】
本発明にかかるチューブ型化粧品容器によれば、容器本体を把持する工程、キャップを回転させる工程、再びキャップを回転させて容器本体の開口部を閉鎖する工程において、使用者が効果的かつ快適に使用できる。
【図面の簡単な説明】
【００１４】
【図１】本発明の一実施形態にかかるチューブ型化粧品容器の概略斜視図である。
【図２】チューブ型化粧品容器を示す平面図である。
【図３】チューブ型化粧品容器のキャップ部の内部等を示す図である。
【図４】チューブ型化粧品容器の側面図である。
【図５】キャップ部の斜視図である。
【図６】キャップ部の内部を示す部分拡大図である。
【図７】ドーム状部材を示す概略斜視図である。
【図８】ドーム状部材を示す側面図である。
【図９】ドーム状部材を示す概略断面図である。
【図１０】チューブ型化粧品容器の一部を示す概略断面図である。
【図１１】チューブ型化粧品容器の使用例を示す概略図である。
【図１２】チューブ型化粧品容器の使用例を示す概略図である。
【図１３】従来のチューブ型化粧品容器の使用例を示す概略図である。
【発明を実施するための形態】
【００１５】
以下、図面に基づき本発明の好適な実施形態を説明する。
【００１６】
まず、図１３を参照して、従来のチューブ型化粧品容器について説明する。化粧品容器１００は、美容液などの化粧品を格納する容器本体１０２とキャップ１０４で構成される。容器本体１０２とキャップ１０４は螺子によって螺合するようになっている。容器本体１０２からキャップ１０４を外すためには、例えば、容器本体１０２の胴部を使用者の左手６０の親指と人差し指で挟んで保持し、キャップ１０４の胴部を右手６２の親指と人差し指で挟んで回転させる必要がある。人間の手の体勢として、両手を自然な状態で胸の前で組むようにするのが自然な形状であるが、図１３における両手の形は、右手の甲の角度と左手の甲の角度が略直交する不自然な形状になる。従来のチューブ型化粧品容器においては、キャップ１０４を容器本体１０２から外すときには、両手の形が不自然な形状になる。また、キャップ１０４が外れる瞬間まで、容器本体１０２の胴部を使用者の左手６０の親指と人差し指で挟んで保持し続ける必要があることに起因して、キャップ１０４が外れる寸前や外れた後においても、左手６０の親指と人差し指によって、キャップを外すときの力を維持し、必要以上に大きな力をキャップ１０４の胴体部分に与え、不必要に多くの化粧品が容器本体１０２から飛び出す場合がある。以下に示すように、本実施形態によれば、上記の問題を解決することができる。
【００１７】
図１、図２、図３及び４に示すように、チューブ型化粧品容器１（以下、「容器１」という。）の全体形状は略紡錘形状に形成されている。容器１は、チューブ型の容器本体１０と、容器本体１０の開口部を閉鎖するキャップ５０を有する。キャップ５０は略円錐形状である。容器本体１０は、化粧品を格納する胴体部１２を有し、胴体部１２の一方の端部は、湾曲した帯状の閉塞端部１４となっている。閉塞端部１４は、容器１の製造工程において、円筒状の部材の一方の端部を溶着して形成する。後述するように、閉塞端部１４の構造が容器１の特徴の一つである。容器１は、閉鎖端部１４において、長手方向（図２及び図３のＸ軸方向）と垂直方向における最大の長さである長さｄ１を有する。本実施形態において、長さｄ１は２９．８ｍｍ（ミリメートル）である。閉鎖端部１４とは反対側の胴体部１２には、チューブネック１６が配置されている。チューブネック１６の先端は開口部となっており、そこから、胴体部１２内の化粧品が出るようになっている。
【００１８】
キャップ５０は、キャップ本体５２と、内部に係合するドーム状部材５４（図３、図７及び図８参照）とで構成される。キャップ本体５２は、中空の円錐状の壁部５２ａが略半球状に形成された球状閉塞端部５２ｂ（図３及び図５参照）によって一方の端部が閉塞された形状に形成されている。球状閉塞端部５２ｂの断面である略半円の曲率半径Ｒ２は、３ｍｍ以上５ｍｍ以下が望ましく、本実施形態においては３．２ｍｍである。球状閉塞端部５２ｂとは反対側のキャップ本体５２の端部は、ドーム状部材５４が係合し、チューブネック１６と螺合する開口端部となっている。
【００１９】
容器１の各部材は、樹脂で形成される。容器本体１０は、例えば、ポリエチレン（ＰＥ）をブロー成型して形成した中空部材の端部を溶着して形成される。チューブネック１６及びドーム状部材５４は、例えば、ポリプロピレン（ＰＰ）を射出成型して形成される。キャップ本体５２は、例えば、ポリエチレンテレフタレート（ＰＥＴ）を射出成型して形成される。
【００２０】
容器１全体の長さＬ１において、容器本体１０の長さＬ２は４５％以上５５％以下を占める。キャップ５０の長さＬ３は長さＬ２以上であるように形成されている。本実施形態において、長さＬ１は１３０ｍｍであり、長さＬ２は６４ｍｍ、長さＬ３は６６ｍｍである。
【００２１】
容器本体１０とキャップ５０との境界部における容器１の長手方向と垂直方向における長さをｄ２とすれば、長さｄ２の長さｄ１に対する比率α１（ｄ２／ｄ１）は０．６０以上０．６５以下である。容器本体１０とキャップ５０の境界部と球状閉塞端部５２ｂの先端部との中間位置における容器１の長さ方向と垂直方向における長さをｄ３とすれば、長さｄ３の長さｄ２に対する比率α２（ｄ３／ｄ２）は０．５５以上０．６５以下である。また、α１＞α２となるように形成される。本実施形態において、ｄ１は２９．８ｍｍ、ｄ２は１８．８ｍｍ、ｄ３は１１ｍｍである。比率α１（ｄ２／ｄ１）は０．６３、比率α２（ｄ３／ｄ２）は０．５６である。
【００２２】
容器本体１０の閉塞端部１４は、キャップ部５０の球状閉塞端部５２ｂ方向へ向かう線上（Ｘ軸上）に中心点を有する略円弧状に形成されており、かつ、閉塞端部１４の最大幅である幅ｗ１の長さＬ１に対する比率β１（ｗ１／Ｌ１）が０．０２５以上０．０５０以下となるように形成されている。図２に示すように、幅ｗ１は、容器１の中心軸（Ｘ軸）における幅である。幅ｗ１は３ｍｍ以上であることが望ましく、本実施形態において、幅ｗ１は４ｍｍであり、比率β１（ｗ１／Ｌ１）は０．０３１である。図２及び図３に示すように、閉塞端部１４は、完全な円弧ではない。閉塞端部１４において、Ｘ軸と交わる部分近傍における外側の曲率半径Ｒ１は、２０ｍｍ以上３０ｍｍ以下が望ましく、本実施形態においては、２４ｍｍである。閉塞端部１４の厚さは、１ｍｍ〜２ｍｍが望ましく、本実施形態においては約１ｍｍである。
【００２３】
本発明の発明者は、人間の指と閉塞端部１４の好ましい形状を分析し、試行錯誤の結果、閉塞端部１４の幅ｗ１が上述の数値範囲であり、曲率半径Ｒ１が上述の数値範囲であるときに、使用者が閉塞端部１４を二本の指で挟んで容器本体１０を保持することができ（図１１及び図１２参照）、容器本体１０の胴体部に力を加えることがないことを見出した。すなわち、上述の数値範囲が、容器本体１０からキャップ５０を外すときに容器本体１０を保持するときの力と、容器本体１０から化粧品を取り出すために容器本体１０を押圧するときの力とを分離するために好適であることを見出した。キャップ５０を回して容器本体１０から外すときに容器本体１０を保持する力は、望ましい力と多少異なっても大きな問題はないが、容器本体１０から内部の化粧品を吐出させるときの力は適切な力である必要があり、微妙な力の調整を要する。本発明の発明者は、容器本体１０から化粧品を取り出すために容器本体１０を把持する力と、化粧品を取り出すときの力を分離することにより、過剰な力で化粧品を吐出する危険を回避できる構成を見出したのである。図１１及び図１２においては、左手６０の人差指と中指で閉塞端部１４を挟んでおり、親指は容器本体１０に触れないか、触れていても、親指によって容器１０を支えるだけであり、力を加えてはいない。本発明の発明者は、幅ｗ１が上述の数値範囲であるときに、二本の指、例えば、人差指と中指で好適に挟むことができることを見出した。また、本発明の発明者は、人の指の自然な形状は、真っすぐに伸びた状態ではなく、やや曲がった状態であることに着目し、そのような指の自然な形状を踏まえて閉塞端部１４を形成することで、より効果的に二本の指で閉塞端部１４を挟むことができることを見出し、試行錯誤の結果、曲率半径Ｒ１が上述の数値範囲であることが望ましいことを見出した。なお、図１１及び図１２においては、人差指と中指で閉塞端部１４を挟む例を示したが、これに限らず、隣接する二本の指であればよい。
【００２４】
本発明の発明者は、また、キャップ５０の形状が上記の数値範囲であるときに、図１１に示すように、右手６２の人差指の付け根近傍にキャップ５０の閉塞端部５２ｂを接触させつつ、人差指と親指でキャップ本体５２を保持し、中指でキャップ本体５２を軽く支え、キャップ５２を回転させるのに好適であることを見出した。すなわち、人差指と中指をやや開いたときに形成される空間は略円錐形状であることを踏まえて、キャップ５０を回転させるときに望ましいキャップ本体５２の形状を試行錯誤により検討した結果、上述の数値範囲内の形状が望ましいことを見出した。
【００２５】
特筆すべきことは、本実施形態において容器本体１０からキャップ５０を外すときの両手の甲の角度が、図１３の従来例に比べて、ほぼ等しく、人間の両手の自然な形状に近いということである。これにより、キャップ５０を回転させるときにも余分な力をかける可能性は低くなるから、余分な力を加えて不必要に多くの化粧品を吐出してしまう可能性を一層低減しつつ、容器本体１０からキャップ５０を取り外すことができる。
【００２６】
図３に示すように、キャップ５０の開口端部には、ドーム状部材５４（図３参照）が配置されている。キャップ５０の閉塞端部５２ｂ（図５参照）の反対側の開口端部近傍におけるキャップ５０の内部には、ドーム状部材５４を係合することができるように、図６に示すように、段差部５２ｃ、凹部５２ｄ、凸部５２ｅ及び斜面部５２ｆが形成されている。
【００２７】
図７、図８及び図９に示すように、ドーム状部材５４の閉塞天井部側の略半分は、内側部５４ａと外側部５４ｂの二重構造に形成されている。内側部５４ａと外側部５４ｂとの間には、複数の仕切り部５４ｆが形成されている。本実施形態において、仕切り部５４ｆは９０度ごとに形成されている。すなわち、仕切り部５４ｆは４つ形成されている。図９及び図１０に示すように、突起部５４ａ１は、閉塞天井部において、平面視円状の内側部材５４ａの中心部の位置に、ドーム状部材５４の開口部方向に突出するように形成されている。そして、突起部５４ａ１と反対側のドーム状部材５４の面は凹部５４ｇとなっている。突起部５４ａ１と凹部５４ｇの間は、肉薄部５４ａ２となっている。ドーム状部材５４の下部５４ｃの内部には、螺子５４ｈが形成されている。下部５４ｃの下端部近傍の外部には凸部５４ｄが形成されている。下部５４ｃの外部表面には複数の張り出し部５４ｅが下部５４を取り巻くように形成されている。
【００２８】
図１０に示すように、ドーム状部材５４はキャップ本体５２に係合する。また、容器本体１０とキャップ５０の係合時において、ドーム状部材５４は、チューブネック１６と係合する。ドーム状部材５４とチューブネック１６には、螺子が形成されていて、螺合するようになっている（図示せず）。チューブネック１６のフランジ部は、ドーム状部材５４の円状突起５４ｉと接するようになっている。
【００２９】
ドーム状部材５４が上述のように形成されることによって、熱や力といった環境要因があっても、突起部５４ａ１がその位置及び角度を維持し、チューブネック１６の開口部と確実に係合するようになっている。
【００３０】
なお、本発明のチューブ型化粧品容器は、上記実施形態に限らず、本発明の要旨を逸脱しない範囲内において種々変更を加えることができる。
【符号の説明】
【００３１】
１    チューブ型化粧品容器
１０  容器本体
１２  胴体部
１４  閉塞端部
５０  キャップ
５２  キャップ本体
５４  ドーム状部材
【図１】
2017158638.tif 000003
【図２】
2017158638.tif 000004
【図３】
2017158638.tif 000005
【図４】
2017158638.tif 000006
【図５】
2017158638.tif 000007
【図６】
2017158638.tif 000008
【図７】
2017158638.tif 000009
【図８】
2017158638.tif 000010
【図９】
2017158638.tif 000011
【図１０】
2017158638.tif 000012
【図１１】
2017158638.tif 000013
【図１２】
2017158638.tif 000014
【図１３】
2017158638.tif 000015
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
チューブ型の容器本体と、
前記容器本体の開口部を閉鎖するキャップと、
を有するチューブ型化粧品容器であって、
前記チューブ型化粧品容器の外形は略紡錘形状に形成されており、
前記容器本体の一方の端部は帯状の閉塞端部となっており、
前記閉塞端部において、前記チューブ型化粧品容器の長手方向と垂直な方向における最大の長さｄ１を有し、
前記閉鎖端部と反対側の端部には開口部を有するチューブネックが配置されており、
前記キャップの一方の端部は、略半球状に形成された球状閉塞端部となっており、
前記球状閉塞端部とは反対側の前記キャップの端部は、前記チューブネックと螺合する開口端部となっており、
前記容器本体と前記キャップとの境界部における前記チューブ型化粧品容器の長手方向と垂直方向における長さを長さｄ２とするとき、前記長さｄ２の前記長さｄ１に対する比率α１（ｄ２／ｄ１）は０．６０以上０．６５以下であり、
前記キャップにおいて、前記境界部と前記球状閉塞端部との中間位置における前記チューブ型化粧品容器の長手方向と垂直方向における長さを長さｄ３とするとき、前記長さｄ３の前記長さｄ２に対する比率α２（ｄ３／ｄ２）は０．５５以上０．６５以下であり、
α１＞α２であり、
前記容器本体の前記閉塞端部の外側の形状は、前記チューブ型化粧品容器の長手方向の中心軸上に中心点を有する略円弧状に形成されており、かつ、前記閉塞端部の最大幅ｗ１の前記チューブ型化粧品容器全体の長さＬ１に対する比率β１（ｗ１／Ｌ１）が０．０２以上０．０４以下となるように形成されており、
前記略円弧状の前記閉塞端部における最大曲率半径は、２０ｍｍ以上３０ｍｍ以下であり、
前記キャップの開口端部には、閉鎖天井部と開口部とを有するドーム状部材が配置されており、
前記ドーム状部材は、前記容器本体と前記キャップの係合時において、前記チューブネックの開口に嵌まり込む突起部を有し、
前記ドーム状部材の前記閉鎖天井部側の略上半部は、内側部と外側部の二重構造に形成されており、
前記外側部と前記内側部との間には、複数の仕切り部が形成されており、
前記突起部は、前記内側部の中心部の前記閉鎖天井部に、前記開口部方向に突出するように形成され、
前記突起部が配置された面とは反対側の前記閉鎖天井部の面において、前記突起部と対応する位置は凹部となっている、
チューブ状化粧品容器。
【手続補正書】
【提出日】平成28年9月5日(2016.9.5)
【手続補正１】
【補正対象書類名】明細書
【補正対象項目名】全文
【補正方法】変更
【補正の内容】
【発明の詳細な説明】
【技術分野】
【０００１】
本発明はチューブ型化粧品容器に関する。
【背景技術】
【０００２】
チューブ型化粧品容器は、美容液等の化粧品を格納する容器本体であるチューブ部と、チューブ部の開口部を閉じるキャップ部が主な構成である。このような化粧品容器にとって、使用者が効果的かつ快適に操作して、美容液等の化粧品を取り出すことができることが重要である。
【０００３】
例えば特許文献１において、キャップを回転させると、ノズルが上昇して、キャップを外すことなく内容物を取り出すことができるチューブ型化粧品容器が提案されている。
【先行技術文献】
【特許文献】
【０００４】
【特許文献１】特表２０１１−５１８５９８
【発明の概要】
【発明が解決しようとする課題】
【０００５】
ところで、使用者がチューブ型化粧品容器を使用するときには、容器本体を把持し（ステップ１）、キャップを回転させ（ステップ２）、キャップを容器本体から外して容器本体を開口させ（ステップ３）、内容物を取り出し（ステップ４）、再びキャップを回転させて容器本体の開口部を閉鎖する（ステップ５）動作が必要である。しかし、上述の技術においては、ステップ３とステップ４についての改善は提案されているが、ステップ１、２及び５に関連する問題についての改善は不十分である。すなわち、ステップ１、２、３及び５で容器本体を保持するために適切な力と、ステップ４における適切な力とは異なるのであるが、従来の容器においては、例えば、使用者が、ステップ４における適切な力よりも大きな力でステップ１、２及び３を実施し、そのままの力でステップ４へ進むと、内容物が過剰に吐出する場合がある。
【０００６】
本発明は、上記を踏まえて、容器本体を把持する工程、キャップを回転させる工程、再びキャップを回転させて容器本体の開口部を閉鎖する工程において、使用者が効果的かつ快適に使用できるチューブ型の化粧品容器を提供するものである。
【課題を解決するための手段】
【０００７】
第一の発明は、  チューブ型の容器本体と、前記容器本体の開口部を閉鎖するキャップと、を有するチューブ型化粧品容器であって、前記チューブ型化粧品容器の外形は略紡錘形状に形成されており、前記容器本体の一方の端部は帯状の閉塞端部となっており、
前記閉塞端部において、前記チューブ型化粧品容器の長手方向と垂直な方向における最大の長さｄ１を有し、前記閉鎖端部と反対側の端部には開口部を有するチューブネックが配置されており、前記キャップの一方の端部は、略半球状に形成された球状閉塞端部となっており、前記球状閉塞端部とは反対側の前記キャップの端部は、前記チューブネックと螺合する開口端部となっており、前記容器本体と前記キャップとの境界部における前記チューブ型化粧品容器の長手方向と垂直方向における長さを長さｄ２とするとき、前記長さｄ２の前記長さｄ１に対する比率α１（ｄ２／ｄ１）は０．６０以上０．６５以下であり、前記キャップにおいて、前記境界部と前記球状閉塞端部との中間位置における前記チューブ型化粧品容器の長手方向と垂直方向における長さを長さｄ３とするとき、前記長さｄ３の前記長さｄ２に対する比率α２（ｄ３／ｄ２）は０．５５以上０．６５以下であり、α１＞α２であり、前記容器本体の前記閉塞端部の外側の形状は、前記チューブ型化粧品容器の長手方向の中心軸上に中心点を有する略円弧状に形成されており、かつ、前記閉塞端部の最大幅ｗ１の前記チューブ型化粧品容器全体の長さＬ１に対する比率β１（ｗ１／Ｌ１）が０．０２以上０．０４以下となるように形成されている、チューブ型化粧品容器である。
【０００８】
本発明の発明者は、全体として紡錘形状で、片手で容器本体を保持し、もう一方の片手でキャップを回転して操作するチューブ型の化粧品容器について、容器の操作時における人間の掌及び指の動きと容器の構造の関係を研究し、試行錯誤の結果、第一の発明の構成によれば、容器本体を把持する工程、キャップを回転させる工程、再びキャップを回転させて容器本体の開口部を閉鎖する工程において、使用者が効果的かつ快適に使用できることを見出した。  
【０００９】
第二の発明は、第一の発明の構成において、前記略円弧状の前記閉塞端部における最大曲率半径は、２０ｍｍ以上３０ｍｍ以下であるチューブ型化粧品容器である。
【００１０】
本発明の発明者は、人間の手の指が自然の状態において、曲線状になっていることに着目し、施行錯誤を重ね、閉塞端部が上記数値範囲内にあるときに、使用者が効果的に操作することができることを見出した。
【００１１】
第三の発明は、第一の発明又は第二の発明のいずれかの構成において、前記キャップの開口端部には、閉鎖天井部と開口部とを有するドーム状部材が配置されており、前記ドーム状部材は、前記容器本体と前記キャップの係合時において、前記チューブネックの開口に嵌まり込む突起部を有し、前記ドーム状部材の前記閉鎖天井部側の略上半部は、内側部と外側部の二重構造に形成されており、前記外側部と前記内側部との間には、複数の仕切り部が形成されており、前記突起部は、前記内側部の中心部の前記閉鎖天井部に、前記開口部方向に突出するように形成され、前記突起部が配置された面とは反対側の前記閉鎖天井部の面において、前記突起部と対応する位置は凹部となっているチューブ状化粧品容器である。
【００１２】
本発明の発明者は、チューブ型化粧品容器が、様々な力や熱を受けることに着目し、キャップの突起部がチューブネックの開口に嵌まり込む位置を保持するための構造を研究し、第三の発明によれば、環境要因にもかかわらず、突起部がその位置を保持することを見出した。    
【発明の効果】
【００１３】
本発明にかかるチューブ型化粧品容器によれば、容器本体を把持する工程、キャップを回転させる工程、再びキャップを回転させて容器本体の開口部を閉鎖する工程において、使用者が効果的かつ快適に使用できる。
【図面の簡単な説明】
【００１４】
【図１】本発明の一実施形態にかかるチューブ型化粧品容器の概略斜視図である。
【図２】チューブ型化粧品容器を示す平面図である。
【図３】チューブ型化粧品容器のキャップ部の内部等を示す図である。
【図４】チューブ型化粧品容器の側面図である。
【図５】キャップ部の斜視図である。
【図６】キャップ部の内部を示す部分拡大図である。
【図７】ドーム状部材を示す概略斜視図である。
【図８】ドーム状部材を示す側面図である。
【図９】ドーム状部材を示す概略断面図である。
【図１０】チューブ型化粧品容器の一部を示す概略断面図である。
【図１１】チューブ型化粧品容器の使用例を示す概略図である。
【図１２】チューブ型化粧品容器の使用例を示す概略図である。
【図１３】従来のチューブ型化粧品容器の使用例を示す概略図である。
【発明を実施するための形態】
【００１５】
以下、図面に基づき本発明の好適な実施形態を説明する。
【００１６】
まず、図１３を参照して、従来のチューブ型化粧品容器について説明する。化粧品容器１００は、美容液などの化粧品を格納する容器本体１０２とキャップ１０４で構成される。容器本体１０２とキャップ１０４は螺子によって螺合するようになっている。容器本体１０２からキャップ１０４を外すためには、例えば、容器本体１０２の胴部を使用者の左手６０の親指と人差し指で挟んで保持し、キャップ１０４の胴部を右手６２の親指と人差し指で挟んで回転させる必要がある。人間の手の体勢として、両手を自然な状態で胸の前で組むようにするのが自然な形状であるが、図１３における両手の形は、右手の甲の角度と左手の甲の角度が略直交する不自然な形状になる。従来のチューブ型化粧品容器においては、キャップ１０４を容器本体１０２から外すときには、両手の形が不自然な形状になる。また、キャップ１０４が外れる瞬間まで、容器本体１０２の胴部を使用者の左手６０の親指と人差し指で挟んで保持し続ける必要があることに起因して、キャップ１０４が外れる寸前や外れた後においても、左手６０の親指と人差し指によって、キャップを外すときの力を維持し、必要以上に大きな力を容器本体１０２の胴体部分に与え、不必要に多くの化粧品が容器本体１０２から飛び出す場合がある。以下に示すように、本実施形態によれば、上記の問題を解決することができる。
【００１７】
図１、図２、図３及び４に示すように、チューブ型化粧品容器１（以下、「容器１」という。）の全体形状は略紡錘形状に形成されている。容器１は、チューブ型の容器本体１０と、容器本体１０の開口部を閉鎖するキャップ５０を有する。キャップ５０は略円錐形状である。容器本体１０は、化粧品を格納する胴体部１２を有し、胴体部１２の一方の端部は、湾曲した帯状の閉塞端部１４となっている。閉塞端部１４は、容器１の製造工程において、円筒状の部材の一方の端部を溶着して形成する。後述するように、閉塞端部１４の構造が容器１の特徴の一つである。容器１は、閉鎖端部１４において、長手方向（図２及び図３のＸ軸方向）と垂直方向における最大の長さである長さｄ１を有する。本実施形態において、長さｄ１は２９．８ｍｍ（ミリメートル）である。閉鎖端部１４とは反対側の胴体部１２には、チューブネック１６が配置されている。チューブネック１６の先端は開口部となっており、そこから、胴体部１２内の化粧品が出るようになっている。
【００１８】
キャップ５０は、キャップ本体５２と、内部に係合するドーム状部材５４（図３、図７及び図８参照）とで構成される。キャップ本体５２は、中空の円錐状の壁部５２ａが略半球状に形成された球状閉塞端部５２ｂ（図３及び図５参照）によって一方の端部が閉塞された形状に形成されている。球状閉塞端部５２ｂの断面である略半円の曲率半径Ｒ２は、３ｍｍ以上５ｍｍ以下が望ましく、本実施形態においては３．２ｍｍである。球状閉塞端部５２ｂとは反対側のキャップ本体５２の端部は、ドーム状部材５４が係合し、チューブネック１６と螺合する開口端部となっている。
【００１９】
容器１の各部材は、樹脂で形成される。容器本体１０は、例えば、ポリエチレン（ＰＥ）をブロー成型して形成した中空部材の端部を溶着して形成される。チューブネック１６及びドーム状部材５４は、例えば、ポリプロピレン（ＰＰ）を射出成型して形成される。キャップ本体５２は、例えば、ポリエチレンテレフタレート（ＰＥＴ）を射出成型して形成される。
【００２０】
容器１全体の長さＬ１において、容器本体１０の長さＬ２は４５％以上５５％以下を占める。キャップ５０の長さＬ３は長さＬ２以上であるように形成されている。本実施形態において、長さＬ１は１３０ｍｍであり、長さＬ２は６４ｍｍ、長さＬ３は６６ｍｍである。
【００２１】
容器本体１０とキャップ５０との境界部における容器１の長手方向と垂直方向における長さをｄ２とすれば、長さｄ２の長さｄ１に対する比率α１（ｄ２／ｄ１）は０．６０以上０．６５以下である。容器本体１０とキャップ５０の境界部と球状閉塞端部５２ｂの先端部との中間位置における容器１の長手方向と垂直方向における長さをｄ３とすれば、長さｄ３の長さｄ２に対する比率α２（ｄ３／ｄ２）は０．５５以上０．６５以下である。また、α１＞α２となるように形成される。本実施形態において、ｄ１は２９．８ｍｍ、ｄ２は１８．８ｍｍ、ｄ３は１１ｍｍである。比率α１（ｄ２／ｄ１）は０．６３、比率α２（ｄ３／ｄ２）は０．５６である。
【００２２】
容器本体１０の閉塞端部１４は、キャップ５０の球状閉塞端部５２ｂ方向へ向かう線上（Ｘ軸上）に中心点を有する略円弧状に形成されており、かつ、閉塞端部１４の最大幅である幅ｗ１の長さＬ１に対する比率β１（ｗ１／Ｌ１）が０．０２５以上０．０５０以下となるように形成されている。図２に示すように、幅ｗ１は、容器１の中心軸（Ｘ軸）における幅である。幅ｗ１は３ｍｍ以上であることが望ましく、本実施形態において、幅ｗ１は４ｍｍであり、比率β１（ｗ１／Ｌ１）は０．０３１である。図２及び図３に示すように、閉塞端部１４は、完全な円弧ではない。閉塞端部１４において、Ｘ軸と交わる部分近傍における外側の曲率半径Ｒ１は、２０ｍｍ以上３０ｍｍ以下が望ましく、本実施形態においては、２４ｍｍである。閉塞端部１４の厚さは、１ｍｍ〜２ｍｍが望ましく、本実施形態においては約１ｍｍである。
【００２３】
本発明の発明者は、人間の指と閉塞端部１４の好ましい形状を分析し、試行錯誤の結果、閉塞端部１４の幅ｗ１が上述の数値範囲であり、曲率半径Ｒ１が上述の数値範囲であるときに、使用者が閉塞端部１４を二本の指で挟んで容器本体１０を保持することができ（図１１及び図１２参照）、容器本体１０の胴体部に力を加えることがないことを見出した。すなわち、上述の数値範囲が、容器本体１０からキャップ５０を外すときに容器本体１０を保持するときの力と、容器本体１０から化粧品を取り出すために容器本体１０を押圧するときの力とを分離するために好適であることを見出した。キャップ５０を回して容器本体１０から外すときに容器本体１０を保持する力は、望ましい力と多少異なっても大きな問題はないが、容器本体１０から内部の化粧品を吐出させるときの力は適切な力である必要があり、微妙な力の調整を要する。本発明の発明者は、容器本体１０から化粧品を取り出すために容器本体１０を把持する力と、化粧品を取り出すときの力を分離することにより、過剰な力で化粧品を吐出する危険を回避できる構成を見出したのである。図１１及び図１２においては、左手６０の人差指と中指で閉塞端部１４を挟んでおり、親指は容器本体１０に触れないか、触れていても、親指によって容器本体１０を支えるだけであり、力を加えてはいない。本発明の発明者は、幅ｗ１が上述の数値範囲であるときに、二本の指、例えば、人差指と中指で好適に挟むことができることを見出した。また、本発明の発明者は、人の指の自然な形状は、真っすぐに伸びた状態ではなく、やや曲がった状態であることに着目し、そのような指の自然な形状を踏まえて閉塞端部１４を形成することで、より効果的に二本の指で閉塞端部１４を挟むことができることを見出し、試行錯誤の結果、曲率半径Ｒ１が上述の数値範囲であることが望ましいことを見出した。なお、図１１及び図１２においては、人差指と中指で閉塞端部１４を挟む例を示したが、これに限らず、隣接する二本の指であればよい。
【００２４】
本発明の発明者は、また、キャップ５０の形状が上記の数値範囲であるときに、図１１に示すように、右手６２の人差指の付け根近傍にキャップ５０の閉塞端部５２ｂを接触させつつ、人差指と親指でキャップ本体５２を保持し、中指でキャップ本体５２を軽く支え、キャップ５０を回転させるのに好適であることを見出した。すなわち、人差指と中指をやや開いたときに形成される空間は略円錐形状であることを踏まえて、キャップ５０を回転させるときに望ましいキャップ本体５２の形状を試行錯誤により検討した結果、上述の数値範囲内の形状が望ましいことを見出した。
【００２５】
特筆すべきことは、本実施形態において容器本体１０からキャップ５０を外すときの両手の甲の角度が、図１３の従来例に比べて、ほぼ等しく、人間の両手の自然な形状に近いということである。これにより、キャップ５０を回転させるときにも余分な力をかける可能性は低くなるから、余分な力を加えて不必要に多くの化粧品を吐出してしまう可能性を一層低減しつつ、容器本体１０からキャップ５０を取り外すことができる。
【００２６】
図３に示すように、キャップ５０の開口端部には、ドーム状部材５４（図３参照）が配置されている。キャップ５０の閉塞端部５２ｂ（図５参照）の反対側の開口端部近傍におけるキャップ５０の内部には、ドーム状部材５４を係合することができるように、図６に示すように、段差部５２ｃ、凹部５２ｄ、凸部５２ｅ及び斜面部５２ｆが形成されている。
【００２７】
図７、図８及び図９に示すように、ドーム状部材５４の閉塞天井部側の略半分は、内側部５４ａと外側部５４ｂの二重構造に形成されている。内側部５４ａと外側部５４ｂとの間には、複数の仕切り部５４ｆが形成されている。本実施形態において、仕切り部５４ｆは９０度ごとに形成されている。すなわち、仕切り部５４ｆは４つ形成されている。図９及び図１０に示すように、突起部５４ａ１は、閉塞天井部において、平面視円状の内側部５４ａの中心部の位置に、ドーム状部材５４の開口部方向に突出するように形成されている。そして、突起部５４ａ１と反対側のドーム状部材５４の面は凹部５４ｇとなっている。突起部５４ａ１と凹部５４ｇの間は、肉薄部５４ａ２となっている。ドーム状部材５４の下部５４ｃの内部には、螺子５４ｈが形成されている。下部５４ｃの下端部近傍の外部には凸部５４ｄが形成されている。下部５４ｃの外部表面には複数の張り出し部５４ｅが下部５４ｃを取り巻くように形成されている。
【００２８】
図１０に示すように、ドーム状部材５４はキャップ本体５２に係合する。また、容器本体１０とキャップ５０の係合時において、ドーム状部材５４は、チューブネック１６と係合する。ドーム状部材５４とチューブネック１６には、螺子が形成されていて、螺合するようになっている（図示せず）。チューブネック１６のフランジ部は、ドーム状部材５４の円状突起５４ｉと接するようになっている。
【００２９】
ドーム状部材５４が上述のように形成されることによって、熱や力といった環境要因があっても、突起部５４ａ１がその位置及び角度を維持し、チューブネック１６の開口部と確実に係合するようになっている。
【００３０】
なお、本発明のチューブ型化粧品容器は、上記実施形態に限らず、本発明の要旨を逸脱しない範囲内において種々変更を加えることができる。
【符号の説明】
【００３１】
１    チューブ型化粧品容器
１０  容器本体
１２  胴体部
１４  閉塞端部
５０  キャップ
５２  キャップ本体
５４  ドーム状部材
【国際調査報告】
2017158638.tif 000016
2017158638.tif 000017
2017158638.tif 000018
2017158638.tif 000019